(57)【要約】      （修正有）【課題】アップロード用動画を撮影する際に、高画質の動画像も保存可能としつつ、撮影中にアップロード用動画の画質を確認することが可能な撮像装置を提供する。【解決手段】動画像を撮像する撮像部１０２と、撮像した動画像を、記録媒体１０５、１０７に記録するための圧縮率に従って圧縮する圧縮部１０９と、圧縮された動画像を記録媒体１０５に記録する記録Ｉ／Ｆ１０４とを備えた撮像装置において、外部操作により、アップロード用動画のための圧縮率を設定しておき、動画像の撮影中に、撮像した動画像をアップロード用動画のための圧縮率に従って圧縮し、圧縮した動画像を表示部１０８に表示するようにする。【選択図】図１
2010098599.tif 000002
【特許請求の範囲】
【請求項１】
動画像を撮像する撮像手段と、
前記撮像手段により撮像された動画像を、記録媒体に記録するための第一の圧縮率に従って圧縮する第一の圧縮手段と、
前記第一の圧縮手段により圧縮された動画像を前記記録媒体に記録する記録手段と、
外部操作により、前記第一の圧縮率と異なる第二の圧縮率を設定する圧縮率設定手段と、
前記撮像手段により撮像された動画像を、前記第二の圧縮率に従って圧縮する第二の圧縮手段と、
前記第二の圧縮手段により圧縮された動画像を外部装置に送信する送信手段と、
前記第二の圧縮手段により圧縮された動画像をさらに第三の圧縮率に従って圧縮する第三の圧縮手段と、
前記第三の圧縮手段により圧縮された動画像を表示部に表示する表示手段とを有することを特徴とする撮像装置。
【請求項２】
前記圧縮率設定手段により設定された前記第二の圧縮率を、前記第一の圧縮手段により圧縮された動画像と関連付けて前記記録媒体に記録する圧縮設定記録手段を更に有することを特徴とする請求項１に記載の撮像装置。
【請求項３】
前記第二の圧縮率は、前記第一の圧縮率よりも高いことを特徴とする請求項１又は２に記載の撮像装置。
【請求項４】
動画像を撮像する撮像手段と、前記撮像手段により撮像された動画像を、記録媒体に記録するための第一の圧縮率に従って圧縮する圧縮手段と、前記圧縮手段により圧縮された動画像を前記記録媒体に記録する記録手段とを有する撮像装置の制御方法であって、
外部操作により、前記第一の圧縮率と異なる第二の圧縮率を設定するステップと、
前記撮像手段により撮像された動画像を、前記第二の圧縮率に従って圧縮するステップと、
前記第二の圧縮率に従って圧縮された動画像を外部装置に送信するステップと、
前記第二の圧縮率に従って圧縮された動画像をさらに第三の圧縮率に従って圧縮するステップと、
前記第三の圧縮率に従って圧縮された動画像を表示部に表示するステップとを有することを特徴とする撮像装置の制御方法。
【請求項５】
動画像を撮像する撮像手段と、前記撮像手段により撮像された動画像を、記録媒体に記録するための第一の圧縮率に従って圧縮する圧縮手段と、前記圧縮手段により圧縮された動画像を前記記録媒体に記録する記録手段とを有する撮像装置の制御をコンピュータに実行させるためのプログラムであって、
外部操作により、前記第一の圧縮率と異なる第二の圧縮率を設定するステップと、
前記撮像手段により撮像された動画像を、前記第二の圧縮率に従って圧縮するステップと、
前記第二の圧縮率に従って圧縮された動画像を外部装置に送信するステップと、
前記第二の圧縮率に従って圧縮された動画像をさらに第三の圧縮率に従って圧縮するステップと、
前記第三の圧縮率に従って圧縮された動画像を表示部に表示するステップとをコンピュータに実行させるためのプログラム。
【発明の詳細な説明】
【技術分野】
【０００１】
本発明は、動画像を撮影可能な撮像装置、その制御方法及びプログラムに関する。
【背景技術】
【０００２】
従来、インターネットを通して動画像を公開する、いわゆる動画コンテンツ共有サービスがある。動画コンテンツは、デジタルビデオカメラなどで撮影したデジタル動画コンテンツ（動画像）である。動画コンテンツ共有サービスでは、著作権の保護や、サーバリソースなどの観点から、投稿者がアップロードを行う動画像に対し、ファイルのサイズや記録時間等の制限を設けている場合がある。そのため、投稿者は事前に、サーバの制限に合致したアップロード用の動画像（以下、アップロード用動画）を準備するために、動画ファイルを圧縮したりしている。
【０００３】
データの圧縮に関する技術として例えば特許文献１には、事前に再圧縮率を設定しておき、記憶装置の空き容量に応じて、記録された画像を、設定された再圧縮率を用いて再圧縮することが記載されている。
【０００４】
【特許文献１】特開２００２-２３７１４１号公報
【発明の開示】
【発明が解決しようとする課題】
【０００５】
ユーザの多くは、観賞用の動画像を撮影する場合、より高画質、より長時間記録を行うのに対し、アップロード用動画の制限に合わせて撮影する場合は、より低画質、より短時間の撮影を行うことになる。したがって、アップロード用動画の制限に合わせて撮影した場合には、ユーザは高画質の動画像を残すことができず、観賞に堪えない動画像のみを無駄に保存してしまうような状況があった。
【０００６】
また、撮影後に高画質の動画像を編集して、アップロード用の画質に変更する場合には、最終的にどの程度の画質の画像になるのかということを、ユーザは撮影時に確認することができない。そのため、アップロード用動画の作成後に、それが観賞に堪えないものと気付き、撮影に失敗してしまうような状況があった。
【０００７】
本発明は係る実情に鑑みてなされたものであり、アップロード用動画を撮影する際に、高画質の動画像も保存可能としつつ、撮影中にアップロード用動画の画質を確認することが可能な撮像装置などを提供することを目的とする。
【課題を解決するための手段】
【０００８】
本発明の撮像装置は、動画像を撮像する撮像手段と、前記撮像手段により撮像された動画像を、記録媒体に記録するための第一の圧縮率に従って圧縮する第一の圧縮手段と、前記第一の圧縮手段により圧縮された動画像を前記記録媒体に記録する記録手段と、外部操作により、前記第一の圧縮率と異なる第二の圧縮率を設定する圧縮率設定手段と、前記撮像手段により撮像された動画像を、前記第二の圧縮率に従って圧縮する第二の圧縮手段と、前記第二の圧縮手段により圧縮された動画像を外部装置に送信する送信手段と、前記第二の圧縮手段により圧縮された動画像をさらに第三の圧縮率に従って圧縮する第三の圧縮手段と、前記第三の圧縮手段により圧縮された動画像を表示部に表示する表示手段とを有することを特徴とする。
また、本発明の撮像装置の制御方法は、動画像を撮像する撮像手段と、前記撮像手段により撮像された動画像を、記録媒体に記録するための第一の圧縮率に従って圧縮する圧縮手段と、前記圧縮手段により圧縮された動画像を前記記録媒体に記録する記録手段とを有する撮像装置の制御方法であって、外部操作により、前記第一の圧縮率と異なる第二の圧縮率を設定するステップと、前記撮像手段により撮像された動画像を、前記第二の圧縮率に従って圧縮するステップと、前記第二の圧縮率に従って圧縮された動画像を外部装置に送信するステップと、前記第二の圧縮率に従って圧縮された動画像をさらに第三の圧縮率に従って圧縮するステップと、前記第三の圧縮率に従って圧縮された動画像を表示部に表示するステップとを有することを特徴とする。
また、本発明のプログラムは、動画像を撮像する撮像手段と、前記撮像手段により撮像された動画像を、記録媒体に記録するための第一の圧縮率に従って圧縮する圧縮手段と、前記圧縮手段により圧縮された動画像を前記記録媒体に記録する記録手段とを有する撮像装置の制御をコンピュータに実行させるためのプログラムであって、外部操作により、前記第一の圧縮率と異なる第二の圧縮率を設定するステップと、前記撮像手段により撮像された動画像を、前記第二の圧縮率に従って圧縮するステップと、前記第二の圧縮率に従って圧縮された動画像を外部装置に送信するステップと、前記第二の圧縮率に従って圧縮された動画像をさらに第三の圧縮率に従って圧縮するステップと、前記第三の圧縮率に従って圧縮された動画像を表示部に表示するステップとをコンピュータに実行させるためのプログラムである。
【発明の効果】
【０００９】
本発明によれば、撮影中に、記録媒体に記録するための圧縮率と異なる所望の圧縮率の画像を表示することができる。これにより、例えば、撮影中にアップロード用動画の画質を確認することができるため、ユーザは撮影中にアップロード用動画の画質を確認しながら圧縮率を変更するなどして、撮影に失敗することを防ぐことができる。
【発明を実施するための最良の形態】
【００１０】
以下、本発明の好適な実施の形態を説明する。図１は、本発明を適用した撮像装置であるデジタルビデオカメラ１００のシステムブロック図である。
【００１１】
＜デジタルビデオカメラ１００のシステム構成＞
デジタルビデオカメラ１００の内部は、映像ブロック、記録ブロック、再生表示ブロック、システムブロック、通信ブロックから構成されている。以下、各ブロックを詳述する。
【００１２】
（映像ブロック）
映像ブロックは、撮像部１０２、映像処理部１０３、圧縮画像処理部１０９、マイク１１５から構成される。
【００１３】
撮像部１０２は、光学像を電気信号に変換し、所定の形式のアナログ映像信号を作成する。その後、撮像部１０２は、アナログ映像信号をデジタル映像信号にＡ／Ｄ変換し、Ａ／Ｄ変換されたデジタル映像信号にガンマ補正および色バランス補正などの所定の補正処理を行い、補正処理を施したデジタル映像信号を映像処理部１０３へ送る。マイク１１５から出力される音声信号は、Ａ／Ｄ変換によりデジタル音声信号に変換され、さらに各種雑音除去およびダイナミックレンジの制限などの補正処理を施した上で映像処理部１０３へ送られる。
【００１４】
映像処理部１０３は、撮像部１０２およびマイク１１５から送られたデジタル映像信号およびデジタル音声信号を合成し、さらに圧縮伸長処理を施し、ＭＰＥＧ４などの所定の動画ファイル形式に変換する。その上で、映像処理部１０３は、変換された動画ファイルをシステムバス１２４経由で記録再生制御部１１４に転送する。本実施の形態において映像処理部１０３は、記録媒体に記録するために出力されるオリジナル動画ファイル用に設定された圧縮率を用いて、圧縮伸張処理を行う。
【００１５】
映像処理部１０３はまた、撮像部１０２およびマイク１１５により転送されたデジタル映像信号およびデジタル音声信号を、オリジナル動画ファイル用の圧縮率で圧縮伸長処理してから、圧縮画像処理部１０９へ転送する。通常、圧縮画像処理部１０９は、スルー画像用に設定された所定の圧縮率で再圧縮を行い、表示部に出力して、ユーザが撮影画像を確認するためのスルー画像を表示部１０８に表示する。一方、後述するようにアップロードファイルのプレビューが指示されると、圧縮画像処理部１０９は、アップロードファイル用に設定された圧縮率に従い、転送されたデジタル映像信号およびデジタル音声信号の再圧縮を行う。さらに、スルー画像用に設定された圧縮率で再々圧縮を行い、表示部１０８に出力して、ユーザが撮影画像から生成されるアップロード用画像を確認するためのスルー画像を表示する。ここでの再圧縮処理では、デジタル音声信号に対して、画面サイズ変換、ビットレート変換、およびフレームレート変換を行い、また、デジタル音声信号に対して音声ビットレート変換を行う。なお、アップロードファイル用に設定された圧縮率は、詳細は後述するが、ユーザの選択により設定されるもので、システムコントローラ１０１内に保持される圧縮率設定１２２に基づくものである。
【００１６】
（記録ブロック）
記録ブロックは、記録再生制御部１１４、着脱可能記録媒体１０５、着脱可能記録媒体インタフェース１０４、着脱記録媒体検出部１０６、内蔵記録媒体１０７から構成され、各種データの記録を行う。
【００１７】
着脱可能記録媒体１０５は、フラッシュメモリカード、カセットテープ、光磁気ディスクなどの形態で既に実施されており、本実施の形態では、一例としてフラッシュメモリカードを着脱可能記録媒体１０５とする。着脱可能記録媒体１０５と記録再生制御部１１４との間には、着脱可能記録媒体インタフェース１０４があり、着脱可能記録媒体１０５の物理的、電気的特性のインタフェースとなる。着脱記録媒体検出部１０６は、記録媒体の装着を検出することができる。
【００１８】
内蔵記録媒体１０７は、半導体メモリ、ＨＤＤ（ハードディスクドライブ）などの形態で既に実施されており、本実施の形態では、一例としてＨＤＤとする。記録再生制御部１１４は、他のブロックからデータを取得し、着脱可能記録媒体１０５または内蔵記録媒体１０７への記録を制御する。記録再生制御部１１４はまた、着脱可能記録媒体１０５または内蔵記録媒体１０７からデータの読み出しも行う。なお、動画ファイルの記録先記録媒体は、動画記録前にユーザがユーザ操作部１１１を操作することにより設定することができる。この場合に、システムコントローラ１０１は記録媒体の選択状態設定を保存する。そして、記録再生制御部１１４が記録媒体の選択状態設定を参照して内蔵記録媒体１０７および着脱可能記録媒体１０５のいずれかに決定する。
【００１９】
着脱可能記録媒体１０５へ記録を行う際は、まず記録再生制御部１１４が着脱記録媒体検出部１０６により着脱可能記録媒体１０５の検出を行い、着脱可能記録媒体１０５が検出された場合には、着脱可能記録媒体１０５が記録可能であるかを状態判別する。着脱可能記録媒体１０５が記録可能である場合は、記録再生制御部１１４から転送される動画ファイルにつき着脱可能記録媒体インタフェース１０４により物理層レベルのインタフェースをとり、その上で動画ファイルを着脱可能記録媒体１０５に記録する。記録再生制御部１１４は、システムバス１２４から転送された動画ファイルを内蔵記録媒体１０７もしくは着脱可能記録媒体１０５へ記録する。
【００２０】
（再生表示ブロック）
再生表示ブロックは、音声出力部１１０、表示部１０８から構成されており、他のブロックから入力されるデータをアナログ信号としてユーザへ出力する。本実施の形態では、音声出力部１１０は、スピーカおよびヘッドフォン出力端子を選択して切替え可能の構成とする。また、本実施の形態では、表示部１０８は液晶パネルとする。
【００２１】
（システムブロック）
システムブロックは、ユーザ操作部１１１、システムコントローラ１０１、システムバス１２４から構成される。システムコントローラ１０１は、中央処理装置、メモリ手段などで構成されている。ユーザは、ユーザ操作部１１１を操作することで、各種の要求を入力可能である。ユーザ操作部１１１は、撮影モード選択用のモードダイヤルや、選択用の十字キー、記録開始、終了を制御する撮影ボタンなどで構成されている。
【００２２】
システムコントローラ１０１は、ユーザの要求とデジタルビデオカメラ１００内の各部の状態を基に動作を決定し、各部を制御する。システムバス１２４は、システムコントローラ１０１がデジタルビデオカメラ１００内の各部を制御するための制御信号や、データの受け渡しに使用する。また、システムコントローラ１０１は、比較器１２１、圧縮率設定１２２およびファイル制限設定１２３の機能および情報を有する。
【００２３】
（通信ブロック）
通信ブロックは、ネットワークコントローラ１１２、ネットワークインタフェース１１３から構成され、不図示の外部装置との通信を可能とする。ネットワークのプロトコルとして、ＵＳＢ、Ｅｔｈｅｒｎｅｔ（登録商標）、ＩＥＥＥ１３９４などでの構成が可能であるが、本実施の形態では、ネットワークプロトコルをＥｔｈｅｒｎｅｔとする。係る通信ブロックの機能によりデジタルビデオカメラ１００は、動画ファイルなどを外部装置へアップロードすることが可能となる。外部装置とは、インターネットに接続された動画コンテンツ共有サービスのサーバなどである。
【００２４】
以上のようなデジタルビデオカメラ１００において、アップロード先となる外部装置での再生が可能な動画ファイルのフォーマットに制限があるときは、撮影済みの動画ファイルを再圧縮などによりこの制限に合致する形式へ変換して送信する必要が生じる。デジタルビデオカメラ１００では、送信用動画ファイル（以下、アップロードファイル）を作成するための圧縮率設定１２２と、ファイル制限設定１２３とに係る情報を記録前にユーザ操作部１１１にて設定しておくことが可能である。このような設定を可能とすることでアップロードファイル作成のためのユーザの操作の手間を軽減するようにしている。圧縮率設定１２２で設定される圧縮率は、オリジナル動画ファイルを圧縮してアップロードファイルを生成する際に利用されるものであり、記録媒体に記録するための圧縮率とは異なる。すなわち、被写体を撮影して圧縮し、オリジナル動画ファイルを生成して記録媒体に記録する際の圧縮率は、別途設定されている。アップロードファイルを生成するための圧縮率（本発明でいう第二の圧縮率に対応）は、オリジナル動画ファイルを生成するための圧縮率（本発明でいう第一の圧縮率に対応）よりも高いものである。よって、アップロードファイルよりもオリジナル動画ファイルの画質の方が高いことになる。この圧縮率設定１２２と、ファイル制限設定１２３とに係る情報による、ユーザ操作の軽減については後述する。
【００２５】
また、デジタルビデオカメラ１００では、撮影時に、オリジナル動画ファイルを記録媒体へ記録するのと同時に、圧縮画像処理部１０９にて、圧縮率設定１２２に従って圧縮を行った動画像を表示部１０８へ出力するようにしている。この処理の詳細についても後述する。
【００２６】
＜動画共有システムの構成＞
次に、図２は、上述したデジタルビデオカメラ１００を含む動画コンテンツ共有サービスを提供する動画コンテンツ共有システム（動画共有システム）の構成を示した図である。動画共有システムは、デジタルビデオカメラ１００、ＷＥＢサーバ２０１、インターネット２０２およびパーソナルコンピュータ装置２０３を含み構成される。
【００２７】
ＷＥＢサーバ２０１は、動画コンテンツ共有サービスの事業者が提供する。Ｗｅｂサーバ２０１は、インターネット２０２を経由してデジタルビデオカメラ１００や閲覧者のパーソナルコンピュータ装置（ＰＣ）２０３と接続される。デジタルビデオカメラ１００は、動画ファイルを、インターネット２０２を介してＷｅｂサーバ２０１へアップロードすることができる。ＰＣ２０３は、閲覧者がＰＣ２０３にインストールされたＷｅｂブラウザを起動すると、Ｗｅｂサーバ２０１にアクセスし、アップロードされた動画ファイルをディスプレイに表示させることができる。以上のようにして、動画共有システムでは、投稿者の動画ファイルを複数の閲覧者と共有することができる。
【００２８】
＜デジタルビデオカメラ１００におけるアップロードファイル送信までの動作＞
次に、デジタルビデオカメラ１００を使用して、アップロードファイルを送信するまでの動作である下記（１）〜（４）を、図面を用いて説明する。
（１）ファイル制限設定
（２）圧縮率設定
（３）撮影
（４）アップロードファイル作成およびファイルのアップロード
【００２９】
（１．ファイル制限設定）
第一に、ユーザはユーザ操作部１１１を操作することでファイル制限設定１２３を設定する。ユーザがユーザ操作部１１１の所定のボタンなどを操作すると、表示部１０８にアップロードファイル制限設定画面（図３）が表示される。
【００３０】
図３において、アイコン３０２〜３０４は、アップロードファイルを送信する動画コンテンツ共有サービスのサーバを示すアイコン表示である。図３では、アイコン３０３がカーソルにより選択されている様子を示している。アイコンの選択は、ユーザ操作部１１１を操作することで行う。
【００３１】
アップロードファイルの制限は、動画コンテンツ共有サービスのサーバ毎に事前に設定されているものである。デジタルビデオカメラ１００では、ユーザがサーバを示すアイコンを選択することで、自動的にファイル制限設定１２３の情報を変更することができるようにしている。
【００３２】
図３において、ファイル制限設定１２３の情報は、３０６に表示されている内容であり、「記録時間が１０分、ファイルサイズが１００メガバイト」の制限となっている。また、動画コンテンツ共有サービスのサーバ情報として、サイトの名前やＵＲＬ情報３０５の表示や、最後に選択したサイトに接続した日時情報３０７も表示されている。３０１は、アイコン３０６が選択された際の、ファイル制限設定１２３の情報についての表示である。ここでユーザが設定したファイル制限設定１２３は、システムコントローラ１０１内に保存される。
【００３３】
（２．圧縮率設定）
第二に、ユーザはユーザ操作部１１１を操作することで圧縮率設定１２２を設定する。ユーザがユーザ操作部１１１の所定のボタンなどを操作、すなわち外部操作すると、表示部１０８に、撮影モード設定画面（図４）が表示される。
【００３４】
図４において、アイコン４０１〜４０３は、撮影モードをアイコン表示したものである。撮影モードは、ユーザ操作部１１１の構成品の一つであるモードダイヤルにより選択することが可能である。図４の例では撮影モードは、アイコン４０３の「夜景」撮影モードが選択されている状態を示している。
【００３５】
圧縮率設定１２２は、撮影モードと連動してパラメータが変更される。圧縮率設定では、画像サイズ４０４、ビットレート４０５、フレームレート４０６、音声サンプリングレート４０７、圧縮フォーマット４０８のパラメータが設定される。また、ユーザ操作部１１１を操作することにより、各パラメータを個別に設定することも可能である。図４の例では、画像サイズ４０４を選択している状態であり、ユーザ操作部１１１のキー操作でパラメータの変更が可能である。このように圧縮率設定に係るパラメータを個別に設定することで、ユーザは、ファイル制限設定１２３に適合したアップロードファイルのための圧縮率を設定できる。
【００３６】
設定した圧縮率設定１２２にてアップロードファイルを作成する場合、図３の説明で設定したファイル制限設定１２３に対しての、撮影可能残り時間、撮影可能残りファイルサイズの演算が行われる。そして、何れかの条件がネックとなるのかを、図中、４０９のように表示する。本例では、撮影可能残り時間がネックとなっており、その他の画像サイズ４０４、ビットレート４０５などの設定であれば、１０分間撮影をした場合でも１００ＭＢを越さないことを意味している。なお、係る演算は、システムコントローラ１０１内の比較器１２１によってなされる。
【００３７】
デジタルビデオカメラ１００では、ユーザは撮影モード設定画面の表示を参照しアップロードファイル作成のために撮影後に圧縮する際の圧縮率を設定することが可能である。具体的には、本実施の形態では、画像サイズ、ビットレート、フレームレート、音声ビットレートを設定できる。そして、ファイル制限設定１２３に適合した条件を定めることができる。ユーザが設定した圧縮率設定１２２は、システムコントローラ１０１内に保存される。なお、ここで説明したアップロード用動画のための圧縮率の設定に係る処理は、本発明でいう圧縮率設定手段による一処理例に対応するものである。
【００３８】
（３．撮影動作）
第三に、ユーザは撮影を開始する。撮影時の動作に関して図５のフローチャートを参照して説明する。デジタルビデオカメラ１００が撮影モードの状態で、操作部１１１に含まれる撮影ボタンの押下操作を検知すると、システムコントローラ１０１は、以下で説明する撮影処理を開始する。また、再度、撮影ボタンの押下操作を検知すると、以下の撮影処理を終了する。
【００３９】
まずユーザ操作を受けて、ステップＳ５０１においてデジタルビデオカメラ１００は、圧縮率設定１２２の変更が入力されたかどうか判定する。ここで、変更がされていない場合はステップＳ５０２に進み、デジタルビデオカメラ１００は、ユーザ操作を受けて、仮想画像表示（プレビュー）が指示されたかどうか判定する。
【００４０】
ステップＳ５０１で圧縮率設定１２２の変更がされている場合、またはステップＳ５０２でプレビューが指示されている場合はステップＳ５０３に進む。ステップＳ５０３において圧縮画像処理部１０９は、記録用の圧縮率に従って既に圧縮されたデジタル映像信号を、さらに圧縮率設定１２２に従って圧縮処理して仮想画像を生成する。そしてステップＳ５０４において表示部１０８は、ステップＳ５０３で生成した仮想画像を、撮影時間などの各種の撮影情報データと合成し、スルー画像生成のための所定の圧縮率に従ってさらに圧縮処理をして表示する。また、圧縮画像処理部１０９で再圧縮されたデジタル音声信号は、音声出力部１１０に出力される。なお、ステップＳ５０４の処理は本発明でいう第三の圧縮手段、表示手段の処理に対応する。
【００４１】
一方、ステップＳ５０２でプレビューが指示されていないと判断された場合はステップＳ５０５に進む。ステップＳ５０５において圧縮画像処理部１０９は、予め固定的に設定されたスルー画像用の圧縮率（通常の圧縮率）を読み出し、記録用の圧縮率に従って既に圧縮されたデジタル映像信号を、スルー画像用の圧縮率に従ってさらに圧縮処理してスルー画像を生成する。そしてステップＳ５０６において表示部１０８は、スルー画像を撮影情報データと合成して表示する。
【００４２】
なお、上述では、撮影中に必ず圧縮画像が表示される処理を説明したが、デジタルビデオカメラ１００において圧縮率設定１２２を設定する際に、圧縮画像の表示を行うか行わないかを設定可能としても良い。
【００４３】
また、撮影開始後は、デジタル映像信号を記録用の圧縮率（第一の圧縮率）に従って圧縮処理を行うとともに、マイク１１５で録音した音声の補正処理を行い、オリジナル動画ファイルとして着脱可能記録媒体１０５または内蔵記録媒体１０７へ記録する。記録用の圧縮率（第一の圧縮率）は、撮影開始前にユーザが任意に設定しているものとし、スルー画像生成のための圧縮率（第三の圧縮率）よりも小さく、高画質の画像が得られるものとする。なお、記録用の圧縮率でデジタル映像信号を圧縮する処理は、本発明でいう第一の圧縮手段による処理に対応する。
【００４４】
図６は、撮影中の表示部１０８の表示例である。図６（ａ）は、通常の撮影時、即ちステップＳ５０６の場合に、デジタル映像信号から生成されたスルー画像６０１を表示部１０８に表示している様子を示している。図６（ｂ）は、撮影中に取得されるデジタル映像信号を圧縮率設定１２２に従って再圧縮した場合、即ちステップＳ５０４の場合に、仮想画像６０２を表示部１０８に表示している様子を示している。
【００４５】
次に、オリジナル動画ファイルの保存の詳細について説明する。上述したように、デジタルビデオカメラ１００では、撮影と並行して、オリジナル動画ファイルを記録媒体へ記録する。ここで、アップロード用の動画の撮影中、撮影時間または再圧縮後の予想ファイルサイズが撮影前に設定したファイル制限設定１２３の制限を越えていた場合でも、撮影を継続することは可能である。しかし、このように撮影した動画像が設定したファイル制限設定１２３の制限を超えてしまった場合は、撮影終了時に、アップロードファイル作成のための所定の条件を設定しておく必要が生じる。
【００４６】
そこで、本実施の形態では、ファイル制限設定１２３の条件を満たすアップロードファイルをオリジナル動画ファイルから作成するため、撮影終了時に再圧縮を行う圧縮範囲を設定しておく。この圧縮範囲は、オリジナル動画ファイルを圧縮率設定１２２で設定された圧縮率で圧縮した場合に、ファイル制限設定１２３で設定されたファイルサイズに収まるように設定される。また、ファイル制限設定１２３で記録時間が設定されている場合には、圧縮率に関係なく、所定の記録時間に収まるように圧縮範囲が設定される。
【００４７】
具体的には、事前に設定した圧縮率設定１２２、ファイル制限設定１２３を基に、現在撮影した動画像を指定範囲分だけ再圧縮するための再圧縮情報を求める。そして、撮影終了時に、圧縮率設定１２２の情報およびファイル制限設定１２３の情報を着脱可能記録媒体１０５または内蔵記録媒体１０７内に動画ファイルと関連付けして保存するとともに、再圧縮の範囲指定情報が求まる場合は、これも関連付けして保存しておく。これらの情報を保存しておくことで、撮影終了後に、オリジナル動画ファイルからファイル制限設定１２３に制限を満たすアップロードファイルを生成することができる。なお、上述した情報をシステムコントローラ１０１内に保存することも容易である。また、ここで説明した圧縮率設定１２２、ファイル制限設定１２３、および再圧縮情報を保存しておく処理は、本発明でいう圧縮設定記録手段による処理に対応する。
【００４８】
上記関連付けの一例を、図７を用いて説明する。図７は、着脱可能記録媒体１０５または内蔵記録媒体１０７内部のディレクトリまたはファイル構造を示した図である。
【００４９】
図７において、着脱可能記録媒体１０５または内蔵記録媒体１０７のルートディレクトリ７０１は、複数の下位のディレクトリを有する。上位ディレクトリ７１１は、ルートディレクトリ７０１の直下のディレクトリであり、撮影時の動画データファイルを保存するディレクトリである。下位ディレクトリ７２１〜７２４は、上位ディレクトリ７１１の直下のディレクトリであり、撮影時の動画データファイルを保存する下位ディレクトリである。ここでは、下位ディレクトリ７２１の内部に、撮影時の動画データファイル７３１〜７３３が保存されている。下位ディレクトリ７２２〜７２４は展開していないが、下位ディレクトリ７２１と同様のファイルが保存可能である。
【００５０】
そして関連付けとして、各動画ファイルに対応する圧縮率設定１２２の情報、ファイル制限設定１２３の情報および範囲指定情報が設定されている場合には、同情報も含め、７１１の上位ディレクトリとは異なる名称（７１２）にてディレクトリを作成する。次に、以下、動画データファイルと同一ディレクトリ構造（７２５〜７２８）にて、異なる拡張子にてレシピファイル（７３４〜７３６）として、上記の情報を保存する。レシピファイルの保存タイミングは、動画ファイルの作成完了と同時に記録を行う。なお、レシピファイルを作成しないモードもユーザ操作により設定可能とする。
【００５１】
（４．アップロードファイル作成およびファイルのアップロード）
第四に、アップロードファイル作成およびファイルアップロード時の動作に関して説明する。
【００５２】
撮影終了後、デジタルビデオカメラ１００は、ユーザの操作を受けると動画ファイルのアップロードの処理を開始する。まず、ユーザがアップロードを希望したオリジナル動画ファイルに関連付けられた、アップロードファイルの条件が記録されたファイルを読み込み、条件を取得する。ここで読み込む条件とは具体的には、圧縮率設定１２２、ファイル制限設定１２３、再圧縮情報についての情報である。
【００５３】
次に、取得した条件から、オリジナル動画ファイルを圧縮率設定１２２に従って圧縮処理し、また必要に応じてオリジナル動画ファイルの再圧縮範囲を圧縮処理してアップロードファイルを生成する。この際、圧縮処理の条件の他に、次の（１）〜（３）の条件の全てに適合するように、アップロードファイルを生成する。そして、アップロードファイルを生成しても、オリジナル動画ファイルは削除しない。なお、ここで説明したアップロードファイルを生成するためにオリジナル動画ファイルを圧縮する処理は、本発明でいう第二の圧縮手段による処理に対応する。
【００５４】
（１）条件に、アップロードファイルのフォーマットの指定があり、オリジナル動画ファイルと異なる場合。
（２）条件に、フレームレート等の指定があり、それらがオリジナル動画ファイルと異なる場合。
（３）条件に、オリジナル動画ファイルの加工や編集の指定がある場合。
【００５５】
そして、アップロードファイルをＷｅｂサーバ２０１にネットワークを介してアップロードした後は、デジタルビデオカメラ１００は、アップロードファイルにアクセスするためのＵＲＬをＷｅｂサーバ２０１から受信し、記憶する。あるいは、Ｗｅｂサーバ２０１は、アップロードファイルにアクセスするためのＵＲＬをユーザが保有する他の通信機器（例えば、パーソナルコンピュータ（ＰＣ）や携帯電話機等）に送信するようにしてもよい。また、ユーザがＰＣにインストールされたＷｅｂブラウザを起動し、前記ＵＲＬを入力すると、ＰＣはＷｅｂサーバ装置にアクセスしてアップロードファイルを取得し、ディスプレイに表示する。このようにして、ユーザはネットワーク上でアップロードファイルを共有することができる。
【００５６】
以上、本発明の実施の形態を説明した。即ち、本実施の形態では、撮影中にアップロードファイル用の圧縮率で圧縮した動画像を表示できるようにした。これにより、撮影中にアップロードファイルの画質を確認できる。そのため、例えばアップロードファイルの画像が粗いために撮影された文字が読めなくなる場合に、被写体に近づいて大きく撮影したり、圧縮率を変更したりすることで、撮影の失敗を防ぐことができる。また、アップロードファイルを、別途保存するオリジナル動画ファイルに基づき作成するため、高画質の動画像についての保存も可能である。
【００５７】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００５８】
この場合、記憶媒体から読み出されたプログラムコード自体が上述した実施形態の機能を実現することになり、プログラムコード自体及びそのプログラムコードを記憶した記憶媒体は本発明を構成することになる。
【００５９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６０】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００６１】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００６２】
【図１】本発明を適用した撮像装置であるデジタルビデオカメラのシステムブロック図である。
【図２】本発明を適用したデジタルビデオカメラを含む動画共有システムの構成を示した図である。
【図３】本発明を適用したデジタルカメラにおいて表示するアップロードファイル制限設定画面を示した図である。
【図４】本発明を適用したデジタルカメラにおいて表示する撮影モード設定画面を示した図である。
【図５】本発明を適用したデジタルカメラの撮影動作を説明するフローチャートである。
【図６】本発明を適用したデジタルカメラの撮影動作中の撮影画像の表示例を示した図である。
【図７】本発明を適用したデジタルカメラが有する着脱可能記録媒体または内蔵記録媒体内部のディレクトリまたはファイル構造を示した図である。
【符号の説明】
【００６３】
１００  デジタルビデオカメラ
１０１  システムコントローラ
１０２  撮像部
１０３  映像処理部
１０４  着脱可能記録媒体インタフェース
１０５  着脱可能記録媒体
１０６  着脱記録媒体検出部
１０７  内蔵記録媒体
１０８  表示部
１０９  圧縮画像処理部
１１０  音声出力部
１１１  ユーザ操作部
１１２  ネットワークコントローラ
１１３  ネットワークインタフェース
１１４  記録再生制御部
１１５  マイク
１２１  比較器
１２２  圧縮率設定
１２３  ファイル制限設定
１２４  システムバス
２０１  ＷＥＢサーバ
２０２  インターネット
【図１】
2010098599.tif 000003
【図２】
2010098599.tif 000004
【図３】
2010098599.tif 000005
【図４】
2010098599.tif 000006
【図５】
2010098599.tif 000007
【図６】
2010098599.tif 000008
【図７】
2010098599.tif 000009